(57)【要約】【課題】家庭内ネットワークに接続され映像コンテンツの再生の中断再開を確実かつ容易な操作性にて実現できる再生制御装置を提供する。【解決手段】  部屋Ａで再生視聴していた映像コンテンツの再生中断指示を携帯電話４０を操作して送信した場合、テレビＡを介してネットワーク接続されたＨＤＤレコーダ１０がこの再生中断指示を受け、ＨＤＤレコーダ１０は、映像コンテンツの種類（ファイル名など）、再生中断位置、自己のＨＤＤレコーダの固有データ（ＩＰアドレス）をネットワーク接続されたテレビ２０を介して携帯電話４０に送信する。そしてこれら送信されて再開のためのデータを携帯電話４０が受信し、携帯電話４０に設けられたメモリカードなどの記憶装置に再開のためのデータを記録する。  【選択図】  図１
2007259343.tif 000002
【特許請求の範囲】
【請求項１】
サーバ装置に格納された映像コンテンツに対してネットワーク接続された中継装置を介して再生指示することにより、映像コンテンツを再生する再生制御装置において、
前記映像コンテンツの再生を中断する指示を前記中継装置に対して出力する指示手段と、
前記指示手段の指示に応じて、前記サーバ装置がネットワークを経由して送信する前記映像コンテンツを中断位置から再開させるための再開情報を、前記中継装置を介して受信する受信手段と、
受信した再開情報を記録するメモリとを具備したことを特徴とする再生制御装置。
【請求項２】
再開情報を前記中継装置とは異なる他の中継装置へ送信し、他の中継装置がネットワーク経由で前記サーバ装置に再開情報を送信することにより前記映像コンテンツを中断位置から再生させることを特徴とする請求項１記載の再生制御装置。
【請求項３】
サーバ装置に格納された映像コンテンツに対してネットワーク接続された中継装置を介して再生指示することにより、映像コンテンツを再生する再生制御方法において、
前記映像コンテンツの再生を中断する指示を前記中継装置に対して出力し、
前記指示手段の指示に応じて、前記サーバ装置からネットワークを経由して送信される前記映像コンテンツを中断位置から再開させるための再開情報を、前記中継装置を介して受信し、
受信した再開情報をメモリに記録することを特徴とする再生制御方法。
【請求項４】
再開情報を前記中継装置とは異なる他の中継装置へ送信し、他の中継装置がネットワーク経由で前記サーバ装置に再開情報を送信することにより前記映像コンテンツを中断位置から再生させることを特徴とする請求項３記載の再生制御方法。
【発明の詳細な説明】
【技術分野】
【０００１】
本発明は、ネットワークで接続された電子機器で映像コンテンツや音楽コンテンツを再生する再生制御装置に関し、特に家庭内の異なる部屋にある電子機器間でコンテンツの再生を続けて再生可能させるための再生制御装置に関するものである。
【背景技術】
【０００２】
近年、パーソナルコンピュータやデジタルテレビ、ＨＤＤレコーダやＤＶＤレコーダなどのデジタルビデオレコーダを家庭内でネットワーク接続し、データ共有可能な環境が整ってきた。家庭内でこれらのデジタル家電をネットワーク接続した場合、ＨＤＤレコーダに記録されている映像データを、ネットワークを介して別の部屋にあるテレビなどで再生して視聴することが可能となる。
【０００３】
このような視聴形態をとるときに、たとえばある部屋のテレビで映像コンテンツを視聴を一旦中断し、別の部屋に移動いて中断した箇所から映像コンテンツを継続視聴したいという要求がある。そこで従来ではある部屋での視聴を一旦中断した場合、映像コンテンツが格納されているＨＤＤレコーダに中断情報を付加しておき、別の部屋でこの映像コンテンツの再生を再開したとき、ＨＤＤレコーダに格納された中断情報を参照することにより映像コンテンツの継続視聴を可能としていた。
【特許文献１】特開２００４−３６３６５９号公報  （図１）
【発明の開示】
【発明が解決しようとする課題】
【０００４】
しかし上述した例では、中断情報がコンテンツ格納先であるＨＤＤレコーダに付加しているため、部屋を移動している途中で、他の視聴者が継続再生を再開したり、あるいは一旦中断し、数日後に継続再生をしようとした場合にも、他の視聴者が継続再生を再開してしまうような問題がある。
【０００５】
そこで、本発明は上述した課題を解決するため、家庭内ネットワークに接続され映像コンテンツの再生の中断再開を確実かつ容易な操作性にて実現できる再生制御装置を提供することを目的とする。
【課題を解決するための手段】
【０００６】
本発明は上述したような課題を解決するため、  サーバ装置に格納された映像コンテンツに対してネットワーク接続された中継装置を介して再生指示することにより、映像コンテンツを再生する再生制御装置において、前記映像コンテンツの再生を中断する指示を前記中継装置に対して出力する指示手段と、前記指示手段の指示に応じて、前記サーバ装置からネットワークを経由して送信されてくる前記映像コンテンツを中断位置から再開させるための再開情報を前記中継装置を介して受信する受信手段と、受信した再開情報を記録するメモリとを具備したことを特徴とするものである。
【０００７】
また本発明は上述した課題を解決するため、サーバ装置に格納された映像コンテンツに対してネットワーク接続された中継装置を介して再生指示することにより、映像コンテンツを再生する再生制御方法において、前記映像コンテンツの再生を中断する指示を前記中継装置に対して出力し、
前記指示手段の指示に応じて、前記サーバ装置からネットワークを経由して送信されてくる前記映像コンテンツを中断位置から再開させるための再開情報を前記中継装置を介して受信し、受信した再開情報をメモリに記録することを特徴とするものである。
【発明の効果】
【０００８】
ネットワークに接続されてサーバに格納されているコンテンツの視聴中断／再開のために、携帯電話のような過般型の再生制御装置にに再開のための情報を記録しておくことにより、ネットワークに接続された別の場所で視聴再開する際、容易に視聴再開させることができる。
【発明を実施するための最良の形態】
【０００９】
以下、本発明における実施形態について図面を用いて説明する。
【００１０】
図１は本発明の一実施例を示す家庭内ネットワークの概念図であり本発明の基本的動作を説明するためのシステム構成図である。
【００１１】
図１に示すように、本実施形態のホームネットワークシステムは、３つの部屋Ａ、Ｂ、Ｃに設置された各デジタル機器と、各部屋間で持ち歩くことを想定した携帯電話から構成される。
【００１２】
まず部屋Ｃに設置されたＨＤＤレコーダ１０は映像コンテンツを記録可能なハードディスクドライブを有しており、ハードディスクドライブに記録されている映像コンテンツの再生指示や再生中断指示を受付け、コンテンツの再生制御を実施し再生された映像コンテンツをネットワークを介して他の部屋に送信する。
【００１３】
そして部屋Ａ、部屋ＢにはＨＤＤレコーダ１０より送信された映像コンテンツを受信し、映像表示出力するテレビ２０、テレビ３０が配置されている。さらに本ホームネットワークシステムでは、テレビ２０、テレビ３０の無線操作制御を行う携帯電話４０が加えられる。この携帯電話はテレビ２０、テレビ３０に対して、無線操作制御信号を送信することにより、ネットワーク接続された他の部屋ＣにあるＨＤＤレコーダ１０の遠隔操作が可能であり、テレビ２０、テレビ３０に表示された表示画面を参照しながら、携帯電話４０を操作することによりＨＤＤレコーダ１０に格納された所望の映像コンテンツを選択、再生指示を実行することができ、さらに再生中の映像コンテンツの再生中断指示を実行する。
【００１４】
このように携帯電話４０でＨＤＤレコーダ１０に格納された映像コンテンツの再生中断を実施する時、本実施形態においては中断した位置から再生を再生するための再開情報（コンテンツアクセス情報）を携帯電話４０に設けられている記録装置に記録しておくことが特徴である。このため携帯電話４０のメモリには再生を中断した映像コンテンツの種類、再生中断位置、映像コンテンツが格納されたＨＤＤレコーダの固有データ（ＩＰアドレス）等を格納し、たとえば、部屋Ａで再生視聴していた映像コンテンツの再生中断指示を携帯電話４０を操作して送信した場合、テレビＡを介してネットワーク接続されたＨＤＤレコーダ１０がこの再生中断指示を受け、ＨＤＤレコーダ１０は、映像コンテンツの種類（ファイル名など）、再生中断位置、自己のＨＤＤレコーダの固有データ（ＩＰアドレス）をネットワーク接続されたテレビ２０を介して携帯電話４０に送信する。そしてこれら送信されて再開のためのデータを携帯電話４０が受信し、携帯電話４０に設けられたメモリカードなどの記憶装置に再開のためのデータを記録する。次に携帯電話４０を持って、別の部屋Ｂに移動し部屋Ｂにあるテレビ３０に向かって携帯電話４０から映像コンテンツを続き視聴するための操作指示信号を無線送信する。するとテレビ３０からネットワークを介して部屋ＣにするＨＤＤレコーダ１０に視聴再開するためのデータ、すなわち映像コンテンツの種類、再生中断位置、自己のＨＤＤレコーダの固有データ（ＩＰアドレス）が送信され、これら再開のためのデータを受信したＨＤＤレコーダ１０は、このデータに基づいて映像コンテンツの再生再開を実施して、今度はテレビ３０に映像コンテンツを送信する。そして映像コンテンツの送信を受けたテレビ３０は、表示画面に映像コンテンツを表示出力することで続き位置からの視聴を再開するものである。
【００１５】
このようなホームネットワークのシステム構成にて動作することから、汎用的に言い換えれば、携帯電話４０は制御機器（以下、コントローラと称す）であり、ＨＤＤコントローラはコンテンツを格納している格納機器（以下、サーバと称す）、テレビ２０、テレビ３０はコントローラとサーバ間の制御信号の仲介する、仲介装置（以下、レンダラーと称す）の役割をもつ。
【００１６】
以下、図２乃至図１０を用いて、本実施形態における各構成要素の構成と、システム全体の動作を具体的に説明していく。
【００１７】
図２は本実施形態に示すコントローラ（携帯電話４０）を示すシステム構成図である。図２示す様に、コントローラ４０はデバイス選択やコンテンツ選択を行う操作部４１と、リスト表示を行う表示部４２、デバイス間の通信を行うLAN通信部４３、更に再生中断したコンテンツの再生を再開させるための情報であるコンテンツアクセス情報を保存するメモリカードなどのメモリ部４４、携帯電話全体の動作制御を行う制御部４５を有する。
【００１８】
そしてメモリ部４４格納されているコンテンツアクセス情報はサーバ（ＨＤＤレコーダ１０）を特定するＩＰアドレスなどのサーバ特定データと、ファイル名などのコンテンツ特定データ、中断位置を特定するための、データ位置（ｂｙｔｅデータ）、時間情報（time）、インデックスデータ（ｉｎｄｅｘ）等からなるブックマーク特定データが記録される。これらコンテンツアクセス情報はメモリ部４４のサイズに応じて複数個の情報を持つことも可能である。
【００１９】
図３は本実施形態に示すテレビ２０、テレビ３０のような中継装置であるレンダラーデバイスを示すシステム構成図である。
【００２０】
図３のレンダラーに関しては、サーバ選択／コンテンツ選択、及び動画表示／静止画表示を行う表示部２１と、音楽再生、及びビデオの音声出力を行うスピーカ２２と、サーバから取得したコンテンツの中身を再生処理するコンテンツデコーダ部２３と、デバイス間の通信を行う、LAN通信部２４、及び全体の動作制御を行う制御部２５からなる。
【００２１】
コントローラ／レンダラー共に表示部を備えている為、レンダラー選択はコントローラ上の表示部を使用する必要があるが、レンダラー選択後は、レンダラーの表示部を使ってサーバ選択／コンテンツ選択と薦める事が出来る。
【００２２】
図４は本実施形態に示すＨＤＤレコーダ１０のようなコンテンツ格納装置であるサーバを示すシステム構成図である。
【００２３】
図４のサーバに関しては、ＨＤＤ（ハードディスクドライブ）の様なコンテンツ格納部４１を備え、ビデオ／音声／静止画などのコンテンツを格納する。機器情報格納メモリ４２は機器固有のデータを格納するメモリでネットワーク上の機器特定情報であるＩＰアドレスなどを格納する。表示部４３は再生時間などの簡単なガイド情報を表示するディスプレイである。通信部４４は、ネットワーク上に接続された各デバイスとのデータ通信を行う。制御部４５はサーバ装置全体の制御を行う
図５はコントローラ（携帯電話４０）の動作フロー概略である。図５に示すようにコントローラである携帯電話４０は、リクエスト待ち状態（ステップＳ５１）から、ユーザによる操作コマンド指示を受けると、このコマンドの種類を判断しコマンド別の処理を実行する（ステップＳ５２）、レンダラー選択であればレンダラー選択処理を実行し（ステップＳ５３）、サーバを選択したらサーバ選択処理を実行し（ステップＳ５４）、コンテンツを選択したらコンテンツ選択処理を実行し（ステップＳ５５）、再生指示であればコンテンツの再生処理をサーバに実行させ（ステップＳ５６）、中断／中止指示でうあれば、ＨＤＤレコーダにコンテンツの再生中断を実行させる（ステップＳ５７）。
【００２４】
図６は、図５におけるレンダラー選択（ステップＳ５３）をした場合の動作フローである。
【００２５】
図６のレンダラー選択では、ネットワーク上に存在するレンダラー一覧を表示後（ステップＳ６１）、コントローラを用いてユーザーが選択したレンダラーに対して接続構築を行い（ステップＳ６２）、エラーが発生しなければ、アクセス用ＩＤを取得し、選択したレンダラーのリモート制御を行う。尚、エラーが発生した場合にはエラーを通知して終了する。
【００２６】
図７はサーバを選択した時に動作フローであり、ネットワーク上に存在するアクセス可能なサーバ一覧を表示し、ユーザーが選択したサーバに対して接続するようレンダラーに要求し、エラーがなかった場合にはアクセス用ＩＤを取得して接続の確立を行う。一方エラーが返信された場合には、エラーを通知して終了させる。
【００２７】
図８のコンテンツ選択フローでは、選択されたコンテンツ情報をレンダラーより取得したあとに（ステップＳ８１）、コントローラが保持しているコンテンツ情報と照合し（ステップＳ８２）、一致する物があった場合、コントローラのメモリに格納されているコンテンツアクセス情報を読み出して、レンダラーに対してコンテンツ探索要求を実施し（ステップＳ８３）、コンテンツを特定したあとにコンテンツ再生要求を出してステップＳ８４、図９に示す再生要求フローに移行し、コンテンツの再生を行う（ステップＳ９１）。
【００２８】
図１０はコンテンツの中断／中止処理のフローである。再生中断の場合、まずコントローラがレンダラーに対して、再生状態取得要求を実施し（ステップＳ１０１）、再生中であることを確認し、レンダラーに対して中断／中止要求を出す（ステップＳ１０２）。そしてコントローラのメモリ上で管理されているブックマークデータのリストを抽出し（ステップＳ１０３）、リスト中に再生中のコンテンツ情報があれば、該当部分のデータを更新する（ステップＳ１０７）。一方でリストに再生中のコンテンツ情報がないとき、メモリの空き容量を確認し空きがある場合には（ステップＳ１０５のＹ）、未使用領域に新たなコンテンツアクセス情報を追加保存する（ステップＳ１０９）、また未使用領域がない場合には（ステップＳ１０５のＮ）、最も古いコンテンツアクセス情報を抽出して新たなコンテンツアクセス情報を上書きする。
【００２９】
以上説明したように本実施形態によればホームネットワークに接続されてサーバに格納されているコンテンツの視聴中断／再開のために、携帯電話のような過般型の電気機器に再開のための情報を記録しておくことにより、ネットワークに接続された別の場所で視聴再開する際に、容易に視聴再開させることができる。
【図面の簡単な説明】
【００３０】
【図１】本発明の一実施例を示す家庭内ネットワークの概念図。
【図２】同実施形態に示すコントローラ（携帯電話４０）を示すシステム構成図。
【図３】同実施形態に示すテレビ中継装置であるレンダラーデバイスを示すシステム構成図。
【図４】同実施形態に示すＨＤＤレコーダのようなコンテンツ格納装置であるサーバを示すシステム構成図。
【図５】同実施形態でのコントローラ（携帯電話）の動作を説明するためのフローチャート。
【図６】同実施形態でのレンダラー選択をした場合の動作フローチャート。
【図７】同実施形態でのサーバ選択をした場合の動作フローチャート。
【図８】同実施形態でのコンテンツ選択をした場合の動作フローチャート。
【図９】同実施形態での再生要求した場合の動作フローチャート。
【図１０】同実施形態におけるコンテンツの中断／中止処理のフローチャート。
【符号の説明】
【００３１】
１０…ＨＤＤレコーダ、２０…テレビ、３０…テレビ、４０…携帯電話、４１…操作部、３２…表示部、４３…無線通信部、４４…メモリ部、４５…制御部。
【図１】
2007259343.tif 000003
【図２】
2007259343.tif 000004
【図３】
2007259343.tif 000005
【図４】
2007259343.tif 000006
【図５】
2007259343.tif 000007
【図６】
2007259343.tif 000008
【図７】
2007259343.tif 000009
【図８】
2007259343.tif 000010
【図９】
2007259343.tif 000011
【図１０】
2007259343.tif 000012